(57)【要約】      （修正有）【課題】内部での電線などの配線の引き回し作業の自由度を向上させ、施工性により優れた門柱を提供する。【解決手段】四隅に１本ずつ配置可能な縦フレーム５と、幅方向に対向する２本の縦フレーム間に架け渡され、幅方向を長さ方向とし、この長さ方向の一端および他端において縦フレームに固定可能な複数本の横フレーム６とを備え、設備機器７を収納可能とした中空部８を有する駆体２と、奥行方向に配置される、対向する２本の縦フレームに対向し、固定可能である２枚の側板３と、頂部に配置される天板４とを備え、縦フレームは、縦フレーム本体部９と、縦フレーム本体部から側板側に向かって突出し、側板と接続可能な側板接続部１０とを有し、縦フレーム本体部には配線孔１１が形成され、側板の背面１３と側板接続部の一端１２が接触または接近したとき、縦フレーム本体部と背面の間に配線スペース１４が形成可能である。【選択図】図１
2018123513.tif 000002
【特許請求の範囲】
【請求項１】
建物の門部に設置される、直方体状の外形を有する門柱において、
設置状態における前記門柱の高さ方向を長さ方向とし、前記門柱の内部の四隅に１本ずつ配置可能な縦フレームと、設置状態における前記門柱の幅方向に対向する２本の前記縦フレーム間に架け渡され、設置状態における前記門柱の幅方向を長さ方向とし、この長さ方向の一端および他端において前記縦フレームに固定可能な複数本の横フレームとを備え、かつ設備機器を収納可能とした中空部を有する駆体と、
設置状態における前記門柱の奥行方向に配置される、対向する２本の前記縦フレームに対向し、かつ固定可能であり、前記門柱の側面を形成する２枚の側板と、
設置状態における前記門柱の頂部に配置される、前記縦フレームの前記長さ方向の一端に固定可能な天板と
を少なくとも備え、
前記縦フレームは、縦フレーム本体部と、前記縦フレームの前記長さ方向に延び、かつ前記縦フレーム本体部から前記側板側に向かって突出し、前記側板と接続可能な側板接続部とを有し、
前記縦フレームの前記縦フレーム本体部には、前記長さ方向に直交する方向に貫通する配線孔が形成され、
前記縦フレームの前記側板接続部における突出方向の一端に、前記門柱の設置状態における前記側板の、前記駆体側に位置する背面が接触または接近可能とされ、この背面と前記側板接続部の前記一端が接触または接近したとき、前記縦フレーム本体部と前記背面の間に配線スペースの形成が可能とされている
ことを特徴とする門柱。
【請求項２】
前記横フレームは、横フレーム本体部と、前記横フレームの前記長さ方向に延び、かつ前記横フレーム本体部から、設置状態における前記門柱の上下いずれか一方の向きに突出し、前記縦フレーム本体部と接続可能な縦フレーム接続部とを有し、
前記設備機器の外周外側と、前記縦フレーム本体部と、前記横フレーム本体部との間にも前記配線スペースの形成が可能とされている
ことを特徴とする請求項１に記載の門柱。
【請求項３】
前記駆体は、設置状態における前記門柱の前記奥行方向に配置される、対向する２本の前記縦フレームの前記長さ方向の前記一端間および他端間に架け渡され、前記縦フレームに固定可能なベースプレートを備えることを特徴とする請求項１または２に記載の門柱。
【発明の詳細な説明】
【技術分野】
【０００１】
本発明は、門柱に関する。
【背景技術】
【０００２】
建物などの門部には、湿式工法または乾式工法による門柱がしばしば設置されている。この門柱は、敷地などの内外を区画する門扉を取り付けるための部材としてのみ機能するばかりのものではなくなってきている。たとえば、門柱には、表札、夜間に表札や門周りを明るくする照明器具、来訪者の来訪を在宅者に通知するインターホン(interphone)などの、設備機器と一般に呼称されるものが取り付けられることがある。前記設備機器には、ホームセキュリティ(home security)の一部を形成する防犯カメラ、郵便物などの投函が可能な郵便受け箱、宅配物の保管および収納が可能な宅配ボックスが含まれる。また、前記門扉、前記郵便受け箱および前記宅配ボックスの施開錠を電気的に行う電気錠も前記設備機器に含まれる。この電気錠や前記照明器具の中には、IoT対応のものもある。このように、門柱は、最近多機能化が求められてきている。
【０００３】
多機能化が進むと、建物の居住者の好みや要求などに応じた門柱が必要となる。そうなると、門柱のメーカー(manufacturer)は、多品種の門柱を設計し、製造して在庫を確保しなければならないことになる。一方、メーカーとしては当然のことながらそのためのコスト低減が使命となる。そこで、住宅の居住者の好みや要求などに容易に対応することができ、コスト低減を図ることのできる門柱が提案されている（たとえば、特許文献１）。
【０００４】
特許文献１に記載された門柱は、左右の縦板と、この縦板を結合する複数枚の仕切板と、前記縦板の前面、背面にそれぞれ取り付ける前板、背板と、これらの前板および背板と前記縦板の頂部に取り付ける蓋板とを備えている。特許文献１に記載された門柱では、前記仕切板により内部に前記設備機器を収容可能とした空間が複数形成される。また、前記前板および前記背板は、前記空間に対応して複数に分割されている。そして、特許文献１に記載された門柱では、外観や材質が異なる複数種の前記縦板、前記前板および前記背板が用意され、その中から任意に選択可能とされ、かつ前記設備機器の少なくとも１つが、前記縦板、前記前板または前記背板の少なくともいずれか１つに取付可能とされている。
【０００５】
こうして、特許文献１に記載された門柱は、基本的な構造は共通でありながらも、異なる外観および機能を実現し、建物の居住者の好みや要求などへの対応を容易にしてコスト低減を図ろうとしている。
【先行技術文献】
【特許文献】
【０００６】
【特許文献１】特開2006−241877号公報
【発明の概要】
【発明が解決しようとする課題】
【０００７】
ところで、特許文献１に記載された門柱では、前記設備機器が前記照明器具や前記インターホンなどの電気製品である場合、前記縦板には、その上下両部に開口を形成し、かつ幅方向の中央部に長さ方向に延びる凹部を形成したものを採用する。前記開口から電線などを引き出し、また、引き込み、前記凹部を配線スペースとして活用し、電線などを前記門柱の内部に収納可能としている。
【０００８】
このため、特許文献１に記載された門柱では、前記凹部の幅方向の両端部に溝を形成し、この溝に、その上方からの嵌め込みが可能なサイドパネルを取り付け、前記凹部に配線された電線などが露出せず、電線などの保護および外観を美麗に収める。
【０００９】
しかしながら、特許文献１に記載された門柱は、前記縦板および前記仕切板を基本骨格とする駆体を備えるため、門柱の内部における電線などの配線の引き回し作業が自由度にやや欠けるきらいがあり、施工性が良好であるとはいいにくい。
【００１０】
本発明は、以上のとおりの事情に鑑みてなされたものであり、設備機器として電気製品が選択される場合、内部での電線などの配線の引き回し作業の自由度を向上させ、施工性により優れた門柱を提供することを課題としている。
【課題を解決するための手段】
【００１１】
上記の課題を解決するために、本発明の門柱は、設置状態における前記門柱の高さ方向を長さ方向とし、前記門柱の内部の四隅に１本ずつ配置可能な縦フレームと、設置状態における前記門柱の幅方向に対向する２本の前記縦フレーム間に架け渡され、設置状態における前記門柱の幅方向を長さ方向とし、この長さ方向の一端および他端において前記縦フレームに固定可能な複数本の横フレームとを備え、かつ設備機器を収納可能とした中空部を有する駆体と、
設置状態における前記門柱の奥行方向に配置される、対向する２本の前記縦フレームに対向し、かつ固定可能であり、前記門柱の側面を形成する２枚の側板と、
設置状態における前記門柱の頂部に配置される、前記縦フレームの前記長さ方向の一端に固定可能な天板と
を少なくとも備え、
前記縦フレームは、縦フレーム本体部と、前記縦フレームの前記長さ方向に延び、かつ前記縦フレーム本体部から前記側板側に向かって突出し、前記側板と接続可能な側板接続部とを有し、
前記縦フレームの前記縦フレーム本体部には、前記長さ方向に直交する方向に貫通する配線孔が形成され、
前記縦フレームの前記側板接続部における突出方向の一端に、前記門柱の設置状態における前記側板の、前記駆体側に位置する背面が接触または接近可能とされ、この背面と前記側板接続部の前記一端が接触または接近したとき、前記縦フレーム本体部と前記背面の間に配線スペースの形成が可能とされていることを特徴とする。
【発明の効果】
【００１２】
本発明の門柱によれば、設備機器として電気製品が選択される場合、内部での電線などの配線の引き回し作業の自由度が向上し、施工性がより優れる。
【図面の簡単な説明】
【００１３】
【図１】本発明の門柱の一実施形態をその設置状態を含めて示した分解斜視図である。
【図２】図１に示した門柱の主に駆体を示した分解斜視図である。
【図３】図２に示した駆体における縦フレームおよび横フレームの一形態と、縦フレームと天板の接続の一形態を示した要部分解斜視図である。
【図４】図３図中に示した円Ａ内を拡大して示した要部斜視図である。
【図５】図３図中に示した円Ｂ内を拡大して示した要部斜視図である。
【図６】図２に示した駆体と基礎の固定を示した要部斜視図である。
【図７】図１に示した門柱における設備機器の配線を示した分解斜視図である。
【図８】図７図中に示した円Ｃ内を拡大して示した要部斜視図である。
【図９】図１に示した門柱における駆体へ側板の取付けの一形態を示した分解斜視図である。
【図１０】図１に示した門柱における駆体への側板の取付けの一形態を示した分解斜視図である。
【図１１】図１に示した門柱の組み立て後の状態を正面側から見た斜視図である。
【図１２】図１に示した門柱の組み立て後の状態を背面側から見た斜視図である。
【発明を実施するための形態】
【００１４】
図１は、本発明の門柱の一実施形態をその設置状態を含めて示した分解斜視図である。図２は、図１に示した門柱の主に駆体を示した分解斜視図である。図１１は、図１に示した門柱の組み立て後の状態を正面側から見た斜視図であり、図１２は、図１に示した門柱の組み立て後の状態を背面側から見た斜視図である。
【００１５】
図１に示した門柱１は、建物の門部に設置される、直方体状の外形を有している。門柱１は、駆体２と、側板３と、天板４とを備える。
【００１６】
駆体２は、縦フレーム５と横フレーム６を備える。縦フレーム５は、設置状態における門柱１の高さ方向を長さ方向とし、門柱１の内部の四隅に１本ずつ配置可能とされている。横フレーム６は、設置状態における門柱１の幅方向に対向する２本の縦フレーム５間に架け渡され、設置状態における門柱１の幅方向を長さ方向とし、この長さ方向の一端および他端において縦フレーム５に固定可能とされている。駆体２では、横フレーム６も、縦フレーム５と同様に複数本用いられる。
【００１７】
また、駆体１は、設備機器７を収納可能とした中空部８を有する。
【００１８】
側板３は、設置状態における門柱１の奥行方向に配置される、対向する２本の縦フレーム５に対向し、かつ固定可能である。側板３の枚数は２枚であり、駆体２の縦フレーム５に固定されたとき、門柱１の側面を形成する。
【００１９】
天板４は、設置状態における門柱１の頂部に配置され、縦フレーム５の長さ方向の一端に固定可能とされている。
【００２０】
門柱１では、縦フレーム５は、縦フレーム本体部９と、縦フレーム５の長さ方向に延び、かつ縦フレーム本体部９から側板３側に向かって突出し、側板３と接続可能な側板接続部１０とを有している。縦フレーム５の縦フレーム本体部９には、縦フレーム５の長さ方向に直交する方向に貫通する配線孔１１が形成されている。
【００２１】
また、門柱１では、縦フレーム５の側板接続部１０における突出方向の一端１２に、門柱１の設置状態における側板３の、駆体２側に位置する背面１３が接触または接近可能とされている。そして、門柱１では、側板３の背面１３と側板接続部１０の一端１２が接触または接近したとき、縦フレーム本体部９と側板３の背面１３の間に配線スペース１４の形成が可能とされている。
【００２２】
以上の駆体２と配線スペース１４によって、門柱１は、設備機器として電気製品が選択される場合、内部での電線などの配線の引き回し作業の自由度が向上し、施工性により優れたものとなる。
【００２３】
なお、門柱１では、横フレーム６は、横フレーム本体部１５と縦フレーム接続部１６を有するものとすることができる。縦フレーム接続部１６は、横フレーム６の長さ方向に延び、かつ横フレーム本体部１５から、設置状態における門柱１の上下いずれか一方の向きに突出することができる。この場合、門柱１では、設備機器７の外周外側と、縦フレーム本体部５と、横フレーム本体部１５で囲まれる領域にも配線スペース１７の形成が可能となる。
【００２４】
配線スペース１７によって、門柱１は、設備機器として電気製品が選択される場合、内部での電線などの配線の引き回し作業の自由度がより向上し、施工性により一層優れたものとなる。
【００２５】
また、門柱１では、駆体２はベースプレート(base plate)１８を備えることもできる。ベースプレート１８は、設置状態における門柱１の奥行方向に配置される、対向する２本の縦フレーム５の長さ方向の一端間および他端間に架け渡され、縦フレーム５に固定可能である。
【００２６】
ベースプレート１８によって、天板４および基礎への駆体２の固定が容易となり、門柱１の設置作業が良好となる。
【００２７】
より具体的には、図１、図１１および図１２に示した門柱１では、設備機器７として、郵便受け箱１９、宅配ボックス２０、防犯カメラ２１、屋外コンセント２２および水栓金具２３が選択されている。また、郵便受け箱１９にはインターホン２４が門柱１の正面側に設けられている。
【００２８】
郵便受け箱１９は、設置状態における門柱１の上端部に配置され、その直下に宅配ボックス２０が配置されている。郵便受け箱１９は、門柱１の設置状態における正面の上端部に、門柱１の幅方向に開口する投函口２５を有する。郵便受け箱１９には、その内部に向かって回動可能であり、郵便受け箱１９の内部に設けられたばねの弾性力によって投函口２５を閉鎖するフラップ(flap)２６が設けられている。また、郵便受け箱１９では、門柱１の設置状態における背面の上端部に取出口(図示なし)が形成され、この取出口を開閉自在とする蓋２７が設けられている。蓋２７の下端部には、前記取出口を閉鎖した蓋２７をロックする(lock)ダイヤル錠２８が設けられている。また、蓋２７には、投函物の有無を確認するための窓２９が設けられ、窓２９にはアクリル板などの透明性を有する板材が設けられている。
【００２９】
宅配ボックス２０には、設置状態における門柱１の前方に開く扉３０を備え、扉３０を開いた状態において宅配物の収納および取出しを可能としたものが例示される。この場合、暗証番号の入力を可能とした電気錠(図示なし)を備えることが可能である。
【００３０】
宅配ボックス２０の直下には、駆体２の中空部８を、設置状態における門柱１の正面で覆うことのできる化粧パネル３１を取り付けることができる。化粧パネル３１には、たとえば図１に示したように、正面視が矩形状のものを採用することができる。また、化粧パネル３１には、側板３の固定と同時に駆体２に固定可能なように、設置状態における門柱１の幅方向に位置する左右の端縁に、正面３２から駆体２側に位置する背面３３に向かって突出する目隠し片３４を設けることができる。目隠し片３４は、前記端縁に沿って同じ突出代とすることができる他、図１に示したように、門柱１に取り付けたときの上端部および下端部の突出代を他の部分よりも大きくすることができる。この場合、化粧パネル３１の取付強度の向上を図ることができる。目隠し片３４は、側板３の固定時に、配線スペース１４において、縦フレーム本体部９と側板３の背面１３との間に挟持される。目隠し片３４は、図１１に示したように、設置状態における門柱１の正面側の左右両端部を美麗に仕上げるのに有効ともなる。
【００３１】
また、化粧パネル３１には、設置状態における門柱１の高さ方向に位置する上下の端縁にも目隠し片３５を設けることができる。目隠し片３５は、設置状態における門柱１の正面側の上下両端部を美麗に仕上げ、しかも、駆体２の中空部８への雨水の浸入を抑制するなどにも有効となる。
【００３２】
図１に示したように、防犯カメラ２１は、たとえば直方体状の外形を有するものを採用することができる。防犯カメラ２１は、撮影部３６が、設置状態における門柱１の背面と同一平面上に配置されるように、駆体２の中空部８に取り付けることができる。防犯カメラ２１の取付けには、たとえば、階段状の形状を有する取付治具３７を用いることができる。取付治具３７は、設置状態における門柱１の背面側に位置する、縦フレーム５の縦フレーム本体部９または横フレーム６の横フレーム本体部１５にねじなどの固定具(図示なし)によって駆体２に固定することができる。防犯カメラ２１は、取付治具３７にねじなどの固定具(図示なし)によって固定することができる。
【００３３】
防犯カメラ２１は、耐水性などを考慮してカバー３８によって覆うことができる。この場合、カバー３８は、設置状態における門柱１の幅方向を長さ方向とする平板状の覆い部３９と、覆い部３９の一端から直交して延びる取付部４０とを有する、Ｌ字状の部材とすることができる。覆い部３９には、防犯カメラ２１の撮影部３６に対応する部位に、長さ方向に直交する方向に貫通する、円形などの形状とすることができる開口４１を形成することができる。また、覆い部３９には、防犯カメラ２１において撮影部３６の外側に設けることのできる複数のねじ穴４２に対応する、開口４１の外側に小孔４３を形成することができる。小孔４３も、開口４１と同様に、覆い部３９の長さ方向に直交する方向に貫通して設けることができ、円形などの形状とすることができる。小孔４３の個数はねじ穴４２の個数と同数とすることができる。このようなカバー３８は次のようにして駆体２に取り付けることができる。すなわち、覆い部３６の一方の面を防犯カメラ２１の撮影部３６側の一面に接触させ、かつ取付部４０の一方の面を取付治具３７の一面に接触させて配置する。次いで、ねじなどの固定具(図示なし)を小孔４３を通じてねじ穴４２にねじ込み、固定する。また、取付部４０と取付治具３７をタッピンねじなどの固定具(図示なし)によって固定する。
【００３４】
屋外コンセント２２には、たとえば、一般に用いられている、防水仕様の電源コンセントなどを採用することができる。屋外コンセント２２は、設置状態における門柱１の背面下側に対応する駆体２に取り付けることができる。たとえば、縦フレーム５の縦フレーム本体部９における配線スペース１４とは反対側に位置する面に、ねじなどの固定具(図示なし)によって屋外コンセント２２を固定することができる。
【００３５】
水栓金具２３は、門柱１を設置するためのコンクリート製などの基礎４４の上に設けることができる。この場合、水栓金具２３は、設置状態における門柱１の背面側の下端に配置することができ、中空部８に収納することができる。
【００３６】
駆体２では、以上の設備機器７の収納が可能となるように、複数本の横フレーム６が、縦フレーム５の長さ方向の適当な位置に固定される。また、横フレーム６は、駆体２の強度を考慮して縦フレーム５の長さ方向の適当な位置に固定することもできる。設備部材７は、駆体２の中空部８に収納されるだけでなく、必要に応じて縦フレーム５または横フレーム６のいずれか一方または両方にねじなどの固定具(図示なし)を用いて固定することもできる。
【００３７】
なお、門柱１では、郵便受け箱１９の奥行は、設置状態における門柱１の奥行と同一としている。一方、宅配ボックス２０の奥行は、設置状態における門柱１の奥行より短くされている。宅配ボックス２０のこのような奥行を考慮して、宅配ボックス２０の扉３０と反対側に位置する背面４５側の中空部８に防犯カメラ２１を収納している。
【００３８】
また、門柱１では、駆体２の中空部８の有効利用を図り、横フレーム６に載置可能な棚板４６を取り付けることができる。棚板４６の枚数は、単数または複数とすることができ、棚板４６は、長さは設置状態における門柱１の横幅まで、奥行は設置状態における門柱１の奥行までとすることができる。したがって、宅配ボックス２０が収納される中空部８に取り付けることができる棚板４６の奥行は、設置状態における門柱１の正面から背面までの奥行と同一の奥行を有する棚板４６よりも短くすることができる。
【００３９】
さらに、門柱１では、側板３における背面１３と反対側の正面４７が、設置状態における門柱１の側面を形成し、門柱１の側方で駆体２の中空部８が露出することがなく、美麗な外観の形成や雨水の浸入の抑制などに寄与する。
【００４０】
図３は、図２に示した駆体における縦フレームおよび横フレームの一形態と、縦フレームと天板の接続の一形態を示した要部分解斜視図である。図４は、図３図中に示した円Ａ内を拡大して示した要部斜視図である。図５は、図３図中に示した円Ｂ内を拡大して示した要部斜視図である。
【００４１】
なお、図３、図４および図５において、図１および図２に示した部位と同一の部位には同一の符号を付し、以下ではその部位についての説明は省略する。
【００４２】
図３に示した縦フレーム５における縦フレーム本体部９は、図４に示したように、平板状の部材である。側板接続部１０は、縦フレーム５の長さ方向に沿う一端部と他端部において縦フレーム本体部９から突出している。２つの側板接続部１０の形状および構造は、基本的に同一である一方、前記一端部と前記他端部では一部異なっている。２つの側板接続部１０は、いずれも縦フレーム本体部９に直交して延び、平板状の形状を有する突出片４８を有する。突出片４８の先端が、側板接続部１０の突出方向の一端１２に相当している。
【００４３】
なお、縦フレーム本体部９の前記一端部、前記他端部は、それぞれ、図１および図２に示した設置状態における門柱１において、正面側、背面側に配置される。
【００４４】
前記一端部から突出する側板接続部１０は、突出片４８の他に、一端１２の近くにおいて突出片４８の外側に突出し、縦フレーム本体部９側に傾斜して延びる接続片４９を有している。接続片４９は、縦フレーム５の長さ方向にも延びている。また、前記一端部から突出する側板接続部１０は、前記他端部の側板接続部１０に向かって突出し、円筒状の形状を有する円筒部５０を有してもいる。円筒部５０は、縦フレーム５の長さ方向に延び、タップホール(tapping hole)５１が全長にわたって形成されている。また、円筒部５０では、前記他端部の側板接続部１０に対向する部分が、全長にわたって直線状に切り欠かれ、切欠部５２が形成されている。
【００４５】
前記他端部から突出する側板接続部１０は、突出片４８のみから形成されている。
【００４６】
また、縦フレーム５では、２つの側板接続部１０の間でかつ前記他端部の側板接続部１０寄りの箇所に、固定部５３が、縦フレーム本体部９から側板接続部１０と同じ方向に突出している。固定部５３は、縦フレーム本体部９の長さ方向に延びている。また、固定部５３は、縦フレーム本体部９に直交して延び、平板状の形状を有する突出片５４を有し、突出片５４における前記一端部から突出する側板接続部１０に対向する側に、円筒部５０と同一形状および同一構造を有する円筒部５５も有している。すなわち、円筒部５５も、タップホール５１および切欠部５２と同一のタップホール５６および切欠部５７を有している。円筒部５０および固定部５３は、図１および図３に示したベースプレート１８を固定するための部位である。
【００４７】
ベースプレート１８は、設置状態における門柱１の奥行方向を長さ方向とする平板状の部材である。ベースプレート１８の長さ方向に沿う一端部には、タップホール５１、５６に対応する部位に、ベースプレート１８の長さ方向に直交する方向に貫通する小孔５８が形成されている。設置状態における門柱１の奥行方向に対向する２本の縦フレーム５の長さ方向の一端間および他端間に架け渡されるベースプレート１８は、小孔５８を通じてタッピンねじ(図示なし)をタップホール５１、５６にねじ込むことによって縦フレーム５に固定可能である。天板４の駆体２への取付けは、ベースプレート１８を用いて行うことができる。たとえば、縦フレーム５の前記一端間に架け渡され、固定されたベースプレート１８の上に天板４を載置し、天板４にあらかじめ形成しておいた表裏を貫通する小孔(図示なし)を通じてねじなどの固定具(図示なし)によって固定することが可能である。あるいは、天板４の前記小孔および小孔５８を通じてタッピンねじ(図示なし)をタップホール５１、５６にねじ込むことによって固定することも可能である。
【００４８】
なお、ベースプレート１８には、長さ方向の一端部および他端部に、ベースプレート１８の長さ方向に延びる長穴５９を、ベースプレート１８の長さ方向に直交する方向に貫通させて形成することができる。
【００４９】
図３に示した横フレーム６における横フレーム本体部１５は、図５に示したように、平板状の部材である。縦フレーム接続部１６は、横フレーム６の長さ方向に沿う一端縁と、横フレーム６の長さ方向に沿う他端縁よりも内側の部位において横フレーム本体部１５から突出している。突出方向は、設置状態における門柱１の上下いずれか一方の向きとすることができる。図３および図５に示した縦フレーム接続部１６は、上向きに突出している。２つの縦フレーム接続部１６の形状および構造はほぼ同一である。前記一端縁から突出する一方の縦フレーム接続部１６は、平板状の形状を有する突出片６０と、突出片６０から他方の縦フレーム接続部１６に向かって突出し、円筒状の形状を有する円筒部６１とを有している。突出片６０は、横フレーム６の長さ方向に延びている。また、円筒部６１は、横フレーム６の長さ方向に延び、タップホール(tapping hole)６２が全長にわたって形成されている。円筒部６１では、前記他方の縦フレーム接続部１６に対向する部分が、全長にわたって直線状に切り欠かれ、切欠部６３が形成されている。
【００５０】
前記他方の縦フレーム接続部１６も、突出片６０と円筒部６１を有し、円筒部６１には、タップホール６２および切欠部６３が形成されている。前記他方の縦フレーム接続部１６は、これらの他、突出片６１の先端部が横フレーム６の前記他端縁に向かって折れ曲がり、平板部６４を有してもいる。
【００５１】
なお、横フレーム６では、前記他端縁に、横フレーム６の全長にわたって上向きに突出する、平板状の形状を有する固定片６５が設けられている。
【００５２】
このような複数の横フレーム６は、いずれも、駆体２において、図３に示したように、横フレーム本体部１５の前記一端縁から突出する縦フレーム接続部１６が駆体２の内側に、固定片６５が、設置状態における門柱１の正面側または背面側に向くように配置される。
【００５３】
以上の縦フレーム５および横フレーム６の接続は以下のようにして行うことができる。縦フレーム本体部９には、図２および図３に示したように、横フレーム６の縦フレーム接続部１６に対応する部位に、縦フレーム５の長さ方向に直交する方向に貫通する小孔６６があらかじめ形成されている。小孔６６は、縦フレーム５の縦フレーム本体部９の長さ方向に一定の間隔で形成しておくことができる。設置状態における門柱１の幅方向に対向する２本の縦フレーム５の縦フレーム本体部９の一面に横フレーム６の長さ方向の一端、他端を接触させる。このとき、横フレーム６の前記一端および前記他端を接触させる縦フレーム本体部９の前記一面は、側板接続部１０が突出していない方の面である。この後、タッピンねじ(図示なし)を小孔６６を通じて縦フレーム接続部１６のタップホール６２にねじ込むことによって、縦フレーム５と横フレーム６は接続され、固定される。そして、駆体２が組み上げられる。
【００５４】
図６は、図２に示した駆体と基礎の固定を示した要部斜視図である。
【００５５】
図２にも示したように、基礎４４には、設置状態における門柱１の下端に位置するベースプレート１８に形成された長穴５９に対応する部位にアンカーボルト６７が設けられ、基礎４４から上方に延びている。門柱１を設置する際には、たとえば円環状の形状などを有する不陸調整スペーサ６８をアンカーボルト６７の外周に配置し、設備機器７を取り付けていない状態の駆体２におけるベースプレート１８の長穴５９にアンカーボルト６７を挿入する。次いで、長穴５９から上方に突出するアンカーボルト６７に袋ナット６９をねじ込み、締め付ける。不陸調整スペーサ６８を設けることによって、基礎４４の表面が必ずしも平滑でない場合にも駆体２を安定して設置することができる。この場合の不陸調整スペーサ６８には各種のものが適用可能である。たとえば、ゴムなどの軟質材や金属製のものなどが例示される。前記軟質材は、基礎４４とベースプレート１８の密着性の向上に有効である。前記金属製の場合には、内側にアンカーボルト６７をねじ込むことができる雌ねじを形成することができ、駆体２の高さ調整に有効となる。もちろん、不陸調整スペーサ６８には、前記軟質材と前記金属製のものを組み合わせたものを採用することもできる。ベースプレート１８によって、基礎４４への駆体２の固定が容易となり、門柱１の設置作業が良好となる。また、天板４の駆体２への固定も容易となる。
【００５６】
また、図１および図２に示したように、設置状態における門柱１の下端に位置するベースプレート１８には、基礎４４に対向する面と反対側の面に水準器７０を設けることができる。この場合、水準器７０で確認しながら駆体２の水平出しを行うことができ、駆体２のより安定した設置が可能となる。
【００５７】
以上のようにして基礎４４に設置した駆体２に設備機器７を収納し、電気製品である防犯カメラ２１、屋外コンセント２２およびインターホン２４の電線や情報線を駆体２の内部に引き込み、配線する。
【００５８】
図７は、図１に示した門柱における設備機器の配線を示した分解斜視図である。図８は、図７図中に示した円Ｃ内を拡大して示した要部斜視図である。
【００５９】
なお、図７および図８において、図１および図２に示した部位と同一の部位には同一の符号を付し、以下ではその部位についての説明は省略する。
【００６０】
前述のとおり、門柱１では、縦フレーム５の縦フレーム本体部９には、縦フレーム５の長さ方向に直交する方向に貫通する配線孔１１が形成されている。また、板３の背面１３と側板接続部１０が接触または接近したとき、縦フレーム本体部９と側板３の背面１３の間に配線スペース１４の形成が可能とされている。このため、防犯カメラ２１、屋外コンセント２２およびインターホン２４から延びる電線や情報線７１などは、防犯カメラ２１、屋外コンセント２２およびインターホン２４の近くに位置する配線孔１１を通じて配線スペース１４に引き込むことができ、また、配線スペース１４を通じて建物の門部に設けられた配線接続機器などに向けて門柱１から引き出し、結線することができる。したがって、門柱１は、内部での電線や情報線７１などの配線の引き回し作業の自由度が向上し、施工性により優れたものとなる。
【００６１】
また、門柱１では、防犯カメラ２１、屋外コンセント２２およびインターホン２４の外周外側と、縦フレーム本体部５と、横フレーム本体部１５で囲まれる領域にも配線スペース１７が形成される。配線スペース１７の存在によって、門柱１は、電線や情報線７１などの配線の内部での引き回し作業の自由度がより向上し、施工性により一層優れたものとなる。
【００６２】
図９は、図１に示した門柱における駆体へ側板の取付けの一形態を示した分解斜視図である。図１０は、図１に示した門柱における駆体へ側板の取付けの一形態を示した分解斜視図である。
【００６３】
なお、図９および図１０において、図１および図２に示した部位と同一の部位には同一の符号を付し、以下ではその部位についての説明は省略する。
【００６４】
設置状態における門柱１の正面側に位置する側板３の一端縁部には、図９図中の円Ｄの拡大図に示したように、背面１３の内側に向かってＬ字状に折れ曲がり、接続部７２を形成することができる。接続部７２は、側板３の背面１３に直交して延びる側片７３と、側片７３の先端から延び、側片７３に直交し、側板３の背面１３と対向して配置される背片７４とを備えている。また、設置状態における門柱１の背面側に位置する側板３の他端縁部は、正面４７から背面１３に向かって直角に折れ曲がる固定片７５を形成することができる。接続部７２および固定片７５は、設置状態における門柱１の高さ方向に相当する側板３の上下方向の全長にわたって設けることができる。
【００６５】
この場合、側板３を駆体２に取り付ける際には、まず図９に示したように、接続部７２を、背片７４が、設置状態における門柱１の正面側に位置する縦フレーム５の側板接続部１０における接続片４９の裏側に回り込むように側板接続部１０に差し込む。次いで、接続部７２を側板接続部１０に差し込んだまま、側板３を駆体２側に回動させる。そして、図１０に示したように、固定片７５を、設置状態における門柱１の背面側に位置する縦フレーム５の側板接続部１０における突出片４８に、突出片４８が固定片７５によって隠れるように重ね合わせる。この後、ねじなどの固定具(図示なし)によって固定片７５を突出片４８に固定する。こうして、側板３は、設置状態における門柱１の奥行方向に配置される、対向する２本の縦フレーム５に対向して固定される。
【００６６】
このとき、縦フレーム５の側板接続部１０における突出方向の一端１２に、側板３の背面１３が接触または接近した状態となり、縦フレーム本体部９と側板３の背面１３の間に配線スペース１４が形成される。
【００６７】
以上のような側板３の取付方式の場合、設置状態における門柱１の正面側に側板３の取付け用の固定具が存在せず、縦フレーム５が接続部７２の側片７３によって隠れるため、門柱１の外観が良好となる。また、必要最小限の固定具の使用によっても要求される取付強度を確保して側板３を駆体２に取り付けることが可能となる。
【００６８】
なお、図１０図中の円Ｅの拡大図に示したように、突出片４８に円形形状を有するねじ穴７６を、また、固定片７５におけるねじ穴７６に対応する部位に側板３の長さ方向に延びる長穴７７をあらかじめ形成しておくことができる。長穴７７によって、側板３の取付位置の調整が可能となり、かつねじなどの固定具による固定を簡便に行うことが可能となる。
【００６９】
また、以上の取付方式以外の場合にも、門柱１では、設備機器７のメンテナンス(maintenance)の際には側板３を取り外すだけで、電線や情報線７１が露出し、電線や情報線７１の交換、設備機器７の部品交換、新たな設備機器７への交換などが可能ともなる。
【００７０】
本発明の門柱は、以上の実施形態に限定されることはない。縦フレーム、横フレーム、縦フレーム本体部、側板接続部、横フレーム本体部、縦フレーム接続部およびベースプレートの形状および構造は、要求される機能を果たす限りにおいて各種の態様が可能である。また、側板および天板の取付方式についても同様である。さらに、設備機器の種類も、駆体に収納することができる限り、特に制限はない。
【符号の説明】
【００７１】
１  門柱
２  駆体
３  側板
４  天板
５  縦フレーム
６  横フレーム
７  設備機器
８  中空部
９  縦フレーム本体部
１０  側板接続部
１１  配線孔
１２  側板接続部の突出方向の一端
１３  側板の背面
１４  配線スペース
１５  横フレーム本体部
１６  縦フレーム接続部
１７  配線スペース
１８  ベースプレート
【図１】
2018123513.tif 000003
【図２】
2018123513.tif 000004
【図３】
2018123513.tif 000005
【図４】
2018123513.tif 000006
【図５】
2018123513.tif 000007
【図６】
2018123513.tif 000008
【図７】
2018123513.tif 000009
【図８】
2018123513.tif 000010
【図９】
2018123513.tif 000011
【図１０】
2018123513.tif 000012
【図１１】
2018123513.tif 000013
【図１２】
2018123513.tif 000014